(57)【要約】      （修正有）【課題】番組交換情報のファイル化が容易に可能となるキューシート自動作成機能付きファイル形式番組交換方式のＸＭＬデータ自動生成装置を提供する。【解決手段】すでに上位システム内に存在する番組情報データを番組交換基準規格に基づいて、自動的にファイル化する。また、番組制作が完成されるまでデータ化できない番組キューシート情報は、キューシート自動生成機能を附加することで、番組が完成するとともに、キューシート情報もファイル化する。容易に番組交換情報がファイル化されることで、番組の受け渡しでの利用のみならず、番組送出装置やアーカイブ装置等で利用することで、放送の正確な運用と放送業務の効率化や省力化に寄与できる。【選択図】図１
2016086302.tif 000002
【特許請求の範囲】
【請求項１】
番組交換情報をすでに上位システムに存在するデータを  番組交換方式ARIB TR-B31
規格に基づいて自動でXMLデータに変換する機能を実現する。
【請求項２】
請求項１において、番組制作が終わるまでデータ化できない番組キューシート情報は、キューシート自動生成機能を附加することで、容易にキューシートが作成でき、完成とともに番組キューシート情報もXMLデータに変換できる機能を実現する。
【請求項３】
請求項１、請求項２において、完成した番組交換データは番組の受け渡しの利用のみならず、番組送出装置等に転送する機能を附加することで、番組送出の自動化や放送業務の省力化に寄与できる。
【請求項４】
請求項１、請求項２において、番組交換データは番組映像ファイルとともに保存されるため、番組交換データで検索できる機能を附加することで、容易にアーカイブ機能を実現でき、番組の再利用が可能となるため、効率的な放送運用が可能となる。
【請求項５】
請求項１、請求項２、請求項４において、保存される番組交換データに、著作権情報等を加えることで、著作権を侵害することなく再利用でき、信頼性の高い放送運用に寄与できる。
【発明の詳細な説明】
【技術分野】
【０００１】
本発明は、テレビジョン放送の番組制作において用いられるファイル形式番組交換方式のＸＭＬデータを容易に作成可能にする技術に関する。
【背景技術】
【０００２】
テレビジョン放送用の番組制作において、完成した番組の映像や音声及び関連情報をファイル形式で用いる技術は確立されており広く普及している。
【０００３】
テレビジョン放送用番組の受け渡しがテープからファイル形式に移行する昨今では、番組交換用の関連情報は紙ベースからXMLデータのファイル形式に変更されることが望まれる。
【先行技術文献】
【非特許文献】
【０００４】
社団法人電波産業会  技術資料  ＡＲＩＢ ＴＲ―Ｂ３１  ファイルベースによる番組交換方式
【発明の概要】
【発明が解決しようとする課題】
【０００５】
テレビジョン放送用の番組交換関連情報をＸＭＬデータに変更するには多くの情報をＸＭＬデータ生成用の機器に手作業で入力することが必要で、多くの時間を要するため必ずしも効率的ではない。
【０００６】
テレビジョン放送用の番組交換関連情報がXMLデータ化され、番組の受け渡しの利用のみならず、番組送出装置等へ転送することで番組送出の自動化や放送システムの正確な運用や省力化に貢献できる。
【課題を解決するための手段】
【０００７】
番組制作を行う際、番組交換に必要な情報の多くは、営放システム等の上位システム内に存在するため、そのデータを番組交換方式規格のＡＲＩＢ ＴＲ―Ｂ３１に基づいて自動的にＸＭＬデータに変更する機能を実現することで、正確なデータを容易に生成可能となる。また、番組制作が完成するまでデータ化できない番組のキューシート情報は、番組キューシートを自動で生成する機能を附加することで、キューシートが完成するとともにキューシート・データもXMLデータに変更されるため、効率的な番組制作が可能となる。
【０００８】
従来、番組のキューシートは紙ベースで作成されることが多いが、汎用コンピュータ等を使用して時間情報やコマーシャル本数等を予め上位の営放システム等から取得し、構成に基づいて本編やコマーシャルの尺や位置を入力するだけで、自動的にキューシート・データが生成される機能を実現することで、より効果的な番組の制作が可能となる。
【発明の効果】
【０００９】
本発明では、上位システムにすでに存在する番組情報を共有することで、番組交換に必要なデータを効率的に作成が可能となる。また、番組情報が変更になった場合でも、上位システムの情報を変更すれば、人の手を介在することなく、番組交換データに自動的に反映しすることで、人為的なミスを回避した正確な番組交換データが容易に生成されるため、放送システムの正確な運用や効率化に寄与する。
【００１０】
番組キューシートを自動で生成する機能を持たせることで、番組の構成を効率的に検討でき、効果的な番組か製作できる。さらに番組が完成するとともにキューシート情報も番組交換データとして生成され、映像データとともに記録メディアに格納されるため効率的である。また、番組交換データを番組送出装置等の放送システムに転送する機能を実現することで、送出の自動化や省力化に寄与する。
【００１１】
番組交換データは、番組の映像音声データとともにファイルとして保存されるため、番組データ内容で検索可能とする機能を実現することで、容易にアーカイブ・システムを構築できる。番組交換データの多くの情報から検索可能なアーカイブ・システムは、限られたコンテンツの再利用が容易となり、低予算で効果的な放送番組の編成が可能となる。また、番組交換情報内に著作権情報等を登録しておくことで、番組映像を再利用する際に著作権を侵害することなく利用でき、信頼性の高い放送運営に寄与する。
【図面の簡単な説明】
【００１２】
【図１】図１は本発明を実現するキューシート自動作成機能付きファイル形式番組交換基準のXMLデータ自動生成装置の構成図である。
【実施例】
【００１３】
上位システムに登録された番組情報データを共有化して、番組交換に必要なデータをファイル形式番組交換方式ＡＲＩＢ ＴＲ―Ｂ３１規格に基づいて、ＸＭＬデータに変換する。番組が完成するまで番組キューシート情報はデータ化ができない。そこで、番組キューシートに必要な放送時刻や番組尺、コマーシャルの本数等の情報を番組交換データから抽出し、自動で番組キューシートの作成図を生成し、本編の構成、本編の尺、時刻等の番組制作に必要な最小限のデータを入力することで容易に番組キューシートの制作できる機能を実現する。本機能では本編の尺や時刻データの変更は自動的にキューシートに反映されるため、効率的で正確な番組制作が可能となり、番組キューシート情報もＸＭＬデータに変換される。完成した番組キューシート図を含んだ番組交換情報画面は印刷することができ、簡単に内容確認ができる。生成された番組交換データは、番組の受け渡し用に番組映像とともにファイル化され指定の記録メディアに格納される。また、放送の自動化と省力化が可能とするため、番組交換データを番組送出装置やコマーシャル送出装置、主調整室システムに転送する機能を実現する。さらに、容易にアーカイブ・システムを構築するために番組交換データに対し詳細に検索できる機能を持たせることで可能となる。
図１にキューシート自動作成機能付きファイル形式番組交換方式のＸＭＬデータ自動生成装置の構成図を示す。
【符号の説明】
【００１４】
０１        外部上位システム内の番組情報を含むファイル
０２        アプリケーション・ソフトウェア
０３        表示装置部
０４        入力装置部
０５        データ変換部
０６        記録装置部
０７        番組交換データを含むファイル
０８        アーカイブ装置部
０９        外部送出装置
【図１】
2016086302.tif 000003